(57)【要約】【課題】通常の使用では確実に物品を吊り下げることができ、異常な力が該物品に加わると外れる鞄用吊下具を提供する。【解決手段】カバン本体（１０）に固定する固定部材（２０）に、係止突起部（２１）を突設する。上記固定部材（２０）には、可撓性アーム部（３１）に上記係止突起部（２１）が係入する係入欠部（３２）を設けた係合片（３０）を、常時は、その可撓性アーム部（３１）の係入欠部（３２）内に係止突起部（２１）が係入するようになし、この係合片（３０）に所定以上の大きさの引く抜く力が加わると、該可撓性アーム（３１）が撓んで係止突起部（２１）との係合が脱着するようになして配設する。さらに、上記係合片（３０）に、吊下用環（４０）を連結してなる。【選択図】　　　図３
2004113367.tif 000002
【特許請求の範囲】
【請求項１】
カバン本体（１０）に固定する固定部材（２０）に、係止突起部（２１）を突設し、
上記固定部材（２０）には、可撓性アーム部（３１）に上記係止突起部（２１）が係入する係入欠部（３２）を設けた係合片（３０）を、常時は、その可撓性アーム部（３１）の係入欠部（３２）内に係止突起部（２１）が係入するようになし、この係合片（３０）に所定以上の大きさの引く抜く力が加わると、該可撓性アーム（３１）が撓んで係止突起部（２１）との係合が脱着するようになして配設し、
上記係合片（３０）に、吊下用環（４０）を連結してなる鞄用吊下具。
【請求項２】
カバン本体（１０）に固定する固定部材（２０）に、左右方向に間隔を有して一対の係止突起部（２１，２１）を突設し、
上記固定部材（２０）には、中央部に縦方向の切込部（３５）を有し、この切込部（３５）の両側を一対の略平行な、可撓性アーム部（３１，３１）となし、この両可撓性アーム部（３１，３１）の下部に基部（３３）を連設すると共に、両可撓性アーム部（３１，３１）の両外側辺部に、上記係止突起部（２１，２１）が係入する係入欠部（３２，３２）を設けてなる係合片（３０）を、前記係止突起部（２１，２１）の間に両可撓性アーム部（３１，３１）を係合し、該係合片（３０）の基部（３３）を該固定部材（２０）の下方に突出させて、この係合片（３０）に所定以上の大きさの引く抜く力が加わると、該可撓性アーム（３１）が撓んで係止突起部（２１，２１）との係合が脱着して係合片（３０）が固定部材（２０）より引く抜けるように装着し、
上記係合片（３０）の基部（３３）に、吊下環（４０）を連結してなる鞄用吊下具。
【請求項３】
カバン本体（１０）に固定される固定部材（２０）を、カバン本体（１０）の外面側にあてがう固定本体部（２０ａ）と、カバン本体（１０）の内側にあてがう裏座体（２０ｂ）と、この固定本体部（２０ａ）と裏座体（２０ｂ）とを連結固定する固定具（２２，２２）とで構成し、該固定本体部（２０ａ）は裏面側が開口した扁平箱状に構成して、その正面部（２３）の裏側には、左右方向に間隔を有して一対の係止突起部（２１，２１）を突設し、
上記固定部材（２０）には、中央部に縦方向の切込部（３５）を有し、この切込部（３５）の両側を一対の略平行な、可撓性アーム部（３１，３１）となし、この両可撓性アーム部（３１，３１）の下部に基部（３３）を連設すると共に、両可撓性アーム部（３１，３１）の両外側辺部に、上記係止突起部（２１，２１）が係入する係入欠部（３２，３２）を設けてなる係合片（３０）を、前記係止突起部（２１，２１）の間に両可撓性アーム部（３１，３１）を係合して装着し、
さらに、上記係合片（３０）の基部（３３）を、該固定部材（２０）の下辺部に設けた、その大きさが該係合片（３０）の最大断面形状部が通過可能な欠部（２４）を通して、該固定部材（２０）の下方に突出させ、該係合片（３０）の基部（３３）下端部には水平方向の折返辺で折り返した折返部（３４）を延設し、この折返部（３４）の上端は固定部材（２０）内に臨入するようになし、該係合片（３０）には、吊下環（４０）を、その一辺部（４１）を上記係合片（３０）の基部（３３）と折返部（３４）とで巻き込むようになして連結してなる鞄用吊下具。
【請求項４】
カバン本体（１０）に固定される固定部材（２０）を、カバン本体（１０）の外面側にあてがう固定本体部（２０ａ）と、カバン本体（１０）の内側にあてがう裏座体（２０ｂ）と、この固定本体部（２０ａ）と裏座体（２０ｂ）とを連結固定する固定具（２２，２２）とで構成し、該固定本体部（２０ａ）は裏面側が開口した扁平箱状に構成して、その正面部（２３）の裏側には、左右方向に間隔を有して一対の係止突起部（２１，２１）を突設し、
上記固定部材（２０）には、中央部に縦方向の切込部（３５）を有し、この切込部（３５）の両側を一対の略平行な、可撓性アーム部（３１，３１）となし、この両可撓性アーム部（３１，３１）の下部に基部（３３）を連設すると共に、両可撓性アーム部（３１，３１）の両外側辺部に、上記係止突起部（２１，２１）が係入する係入欠部（３２，３２）を設け、さらに、両可撓性アーム部（３１，３１）の最大部の巾（Ｌ２）が前記両係止突起部（２１，２１）の距離（Ｌ１）より大きく設定し、該可撓性アーム部（３１，３１）の上端部の巾（Ｌ３）を前記係止突起部（２１，２１）の距離（Ｌ１）より小さく設定して、両可撓性アーム部（３１，３１）の先端外側辺側には基部（３３）方向に向かって順次幅を広げる斜面部（３６，３６）を設けてなる係合片（３０）を、前記係止突起部（２１，２１）の間に両可撓性アーム部（３１，３１）を係合して装着し、
さらに、上記係合片（３０）の基部（３３）を、該固定部材（２０）の下辺部に設けた、その大きさが該係合片（３０）の最大断面形状部が通過可能な欠部（２２）を通して、該固定部材（２０）の下方に突出させ、
上記基部（３３）の下端部には水平方向の折返辺で折り返した折返部（３４）を延設し、この折返部（３４）の上端は固定部材（２０）内に臨入するようになし、この係合片（３０）には、吊下環（４０）を、その一辺部（４１）を上記係合片（３０）の基部（３３）と折返部（３４）とで巻き込むようになして連結してなる鞄用吊下具。
【発明の詳細な説明】
【０００１】
【発明の属する技術分野】
本発明は、ランドセルに上履き袋を、吊り下げるため等に使用される鞄用吊下具に関するものである。
【０００２】
【従来の技術】
従来、カバンに副収納具（袋）や、縫いぐるみ等のアクセサリーを吊り下げる要望が有り、カバンの外面に茄子環やＤ環を取り付けているものが汎用されている。すなわち、これらカバンに取り付けられた茄子環やＤ環に、袋やアクセサリー等を括りつけられるようになしてある。
【０００３】
上記したような鞄用吊下具は、吊り下げた物品が他の器物等に引っ掛かたりすると、当該品物等が破損するおそれがあるので、大きな力が加わると、鞄用吊下具の一部が外れるようになしたものが、「特許文献１」に開示され、この従来例の鞄用吊下具は、断面楕円形の枢止軸に欠円状の係合部を有した茄子環を着脱可能に軸支したもので、この欠円状の係合部は、開口部がカバン本体に固定された枢止軸の、短軸方向は通過でき、長軸方向は通過できないように設定して、該枢止軸と係合部との相互の回転位置関係で、上記茄子環が枢止軸に着脱できるようになしてある。
【０００４】
しかし、上記従来の方式は、力が加わる方向によって極端に外れやすかったり、逆に大きな力が加わっても外れにくい場合もあり、極端な場合、永年使用して枢止軸と係合部との間に緩みが生ずると、吊り下げた物品が歩行等にともなって揺れただけでも該係合部が外れて、吊り下げた物品が脱落することも想定され、未だ信頼性を満足させるものではないという問題点を有している。
【０００５】
【特許文献１】特開昭１０−７１０１３号公報
【０００６】
【発明が解決しようとする課題】
そこで、本発明は、上記のような問題点に鑑みなされたもので、通常の使用では確実に物品を吊り下げることができ、異常な力が該物品に加わると外れる鞄用吊下具を提供することを課題としたものである。
【０００７】
【課題を解決するための手段】
本発明は、上記課題を達成するため、カバン本体１０に固定する固定部材２０に、係止突起部２１を突設し、上記固定部材２０には、可撓性アーム部３１に上記係止突起部２１が係入する係入欠部３２を設けた係合片３０を、常時は、その可撓性アーム部３１の係入欠部３２内に係止突起部２１が係入するようになし、この係合片３０に所定以上の大きさの引く抜く力が加わると、該可撓性アーム３１が撓んで係止突起部２１との係合が脱着するようになして配設し、上記係合片３０に、吊下用環４０を連結してなる技術的手段を講じたものである。
【０００８】
それ故、本発明鞄用係止具は、吊下用環４０に適宜物品を括りつけて吊り下げることが可能となる作用を呈しするのは従来と同じであるが、可撓性アーム部３１の可撓性と、係止突起部２１への係止力とを適宜に設定することで、通常の使用では係合片３０乃至吊り下げた物品が固定部材２０乃至カバン本体１０より外れないようになす作用を呈し、通常、鞄に吊り下げる物品はその重量が１から２ｋｇ程度以下であるので、上記係合片３０を４〜６ｋｇ程度の外力が加わらないと抜けないように設定しておくと、鞄を背負う等して走ったり、飛び降りたりして吊り下げた物品に衝撃を加えても、該係合片３０乃至吊り下げた物品が固定部材２０より脱落しないように作用する。
【０００９】
しかし、本発明鞄用係止は、吊り下げた物品に４〜６ｋｇ以上の力が加わると、上記係合片３０乃至吊り下げた物品は固定部材２０より引き抜かれ脱落するように作用する。そして、本発明の場合、この外力はカバン本体１０に対して主に垂直下方に向かう力によって該係合片３０が引き抜かれることになるが、吊り下げた物品を適宜方向に引っ張ると、ランドセルや、手提げ鞄等の鞄は、その外力によって変位するので、大きな力で吊り下げた物品を適当な方向に引くと、係合片３０の下方がその力が加わる方向に向くことになり、加わった力の何パーセントかが失われることもあるも、大きな外力では、確実に該係合片３０が引き抜かれるように作用するものである。
【００１０】
次に、請求項２の発明は、カバン本体１０に固定する固定部材２０に、左右方向に間隔を有して一対の係止突起部２１，２１を突設し、上記固定部材２０には、中央部に縦方向の切込部３５を有し、この切込部３５の両側を一対の略平行な、可撓性アーム部３１，３１となし、この両可撓性アーム部３１，３１の下部に基部３３を連設すると共に、両可撓性アーム部３１，３１の両外側辺部に、上記係止突起部２１，２１が係入する係入欠部３２，３２を設けてなる係合片３０を、前記係止突起部２１，２１の間に両可撓性アーム部３１，３１を係合し、該係合片３０の基部３３を該固定部材２０の下方に突出させて、この係合片３０に所定以上の大きさの引く抜く力が加わると、該可撓性アーム３１が撓んで係止突起部２１，２１との係合が脱着して係合片３０が固定部材２０より引く抜けるように装着し、上記係合片３０の基部３３に、吊下環４０を連結してなる技術的手段を講じたものである。
【００１１】
それ故、本発明鞄用係止具は、上記請求項１の作用に加え、左右方向に間隔を有して一対の係止突起部２１，２１を設けたので、この間に係入する係合片３０は、該係止突起部２１，２１の間隔設定と、縦方向の切込部３５の巾の設定で、可撓性アーム部３１，３１の巾乃至可撓性を適宜に得ることが可能とな、数ｋｇという大きな力を加えないと撓まないようになすことも、容易に実現できる作用をも呈するものである。
【００１２】
次に、請求項３の発明は、カバン本体１０に固定される固定部材２０を、カバン本体１０の外面側にあてがう固定本体部２０ａと、カバン本体１０の内側にあてがう裏座体２０ｂと、この固定本体部２０ａと裏座体２０ｂとを連結固定する固定具２２，２２とで構成し、該固定本体部２０ａは裏面側が開口した扁平箱状に構成して、その正面部２３の裏側には、左右方向に間隔を有して一対の係止突起部２１，２１を突設し、上記固定部材２０には、中央部に縦方向の切込部３５を有し、この切込部３５の両側を一対の略平行な、可撓性アーム部３１，３１となし、この両可撓性アーム部３１，３１の下部に基部３３を連設すると共に、両可撓性アーム部３１，３１の両外側辺部に、上記係止突起部２１，２１が係入する係入欠部３２，３２を設けてなる係合片３０を、前記係止突起部２１，２１の間に両可撓性アーム部３１，３１を係合して装着し、さらに、該係合片３０の基部３３を、該固定部材２０の下辺部に設けた、その大きさが該係合片３０の最大断面形状部が通過可能な欠部２４を通して、該固定部材２０の下方に突出させ、上記係合片３０の基部３３下端部には水平方向の折返辺で折り返した折返部３４を延設し、この折返部３４の上端は固定部材２０内に臨入するようになし、該係合片３０には、吊下環４０を、その一辺部４１を上記係合片３０の基部３３と折返部３４とで巻き込むようになして連結してなる技術的手段を講じたものである。
【００１３】
それ故、本発明は、前記請求項２の作用にさらに加えて、係合片３０の基部３３下端部には水平方向の折返辺で折り返した折返部３４を延設し、この折返部３４の上端は固定部材２０内に臨入するようになし、該係合片３０には、吊下環４０を、その一辺部４１を上記係合片３０の基部３３と折返部３４とで巻き込むようになして連結してなるので、簡易な構成で該吊下環４０を連結できる作用を呈する。
【００１４】
次に、請求項４の発明は、カバン本体１０に固定される固定部材２０を、カバン本体１０の外面側にあてがう固定本体部２０ａと、カバン本体１０の内側にあてがう裏座体２０ｂと、この固定本体部２０ａと裏座体２０ｂとを連結固定する固定具２２，２２とで構成し、該固定本体部２０ａは裏面側が開口した扁平箱状に構成して、その正面部２３の裏側には、左右方向に間隔を有して一対の係止突起部２１，２１を突設し、上記固定部材２０には、中央部に縦方向の切込部３５を有し、この切込部３５の両側を一対の略平行な、可撓性アーム部３１，３１となし、この両可撓性アーム部３１，３１の下部に基部３３を連設すると共に、両可撓性アーム部３１，３１の両外側辺部に、上記係止突起部２１，２１が係入する係入欠部３２，３２を設け、さらに、両可撓性アーム部３１，３１の最大部の巾Ｌ２が前記両係止突起部２１，２１の距離Ｌ１より大きく設定し、該可撓性アーム部３１，３１の上端部の巾Ｌ３を前記係止突起部２１，２１の距離Ｌ１より小さく設定して、両可撓性アーム部３１，３１の先端外側辺側には基部３３方向に向かって順次幅を広げる斜面部３６，３６を設けてなる係合片３０を、前記係止突起部２１，２１の間に両可撓性アーム部３１，３１を係合して装着し、さらに、上記係合片３０の基部３３を、該固定部材２０の下辺部に設けた、その大きさが該係合片３０の最大断面形状部が通過可能な欠部２２を通して、該固定部材２０の下方に突出させ、上記基部３３の下端部には水平方向の折返辺で折り返した折返部３４を延設し、この折返部３４の上端は固定部材２０内に臨入するようになし、この係合片３０には、吊下環４０を、その一辺部４１を上記係合片３０の基部３３と折返部３４とで巻き込むようになして連結してなる技術的手段を講じたものである。
【００１５】
それ故、本発明鞄用係止は、請求項３の作用にさらに加えて、係合片３０の、可撓性アーム部３１，３１の最大部の巾Ｌ２が前記係止突起部２１，２１の距離Ｌ１より大きく設定し、上端部の巾Ｌ３を前記係止突起部２１，２１の距離Ｌ１より小さく設定して、両可撓性アーム部３１，３１の先端外側辺側には基部３３側に向かって順次幅を広げる斜面部３６，３６を設けてなるので、一度抜けた係合片３０を図５の下方から上方に向け、固定部材２０内に圧入気味に差し込むことで、該係合片３０を鞄に連結し直せる作用を呈するものである。
【００１６】
【実施例】
次に、本発明の実施例を、添付図面を参照して詳細に説明する。図中、１０が、カバン本体で、このカバン本体１０は、図示例ではランドセルを示しているが、手提げ鞄やショルダー鞄等他の方式の鞄であっても、大型なスーツケースや、さらには、ハンドバック等であっても無論差し支えない。
【００１７】
また、図中、２０は、カバン本体１０に固定する固定部材である。この固定部材２０は、カバン本体１０の適所外面に、鋲着、螺子等の固定具２２，２２（図では、この固定具２２は螺子状のものを圧入して固定する。）で固定されるもので、図示例のように、直接カバン本体１０に固定せず、該カバン本体１０に取り付けられたベルト１１等に固定してもよいものである。なお、図示例では、該ベルト１１は、一対がその基端部をランドセルの左右の襠面１４の背板側に固定し、その自由端をランドセルの前板１３の外面側に設けた副収納部１２の前側に延設し、両ベルト１１，１１をバックル等で連結位置調整自在に連結し、該副収納部１２の膨出量を調整するようになすものである。そして、上記固定部材２０は、このベルト１１のみに固定するか、ベルト１１と共にカバン本体１０に固定するかいずれかの方法を採用してもよいものである。
【００１８】
そして、固定部材２０に、係止突起部２１を突設してある。この突起部２１は通常、露出しないように、固定部材２０の正面部２１ａの裏側に突設することが望ましく、外面側にこの突起部２１を設ける場合は、該係合突起部２１を覆うカバーを設けるとよい。そして、該係止突起部２１は本実施例では、図３乃至図５例では半円柱体状のものが使用され、図６例では円柱状のものが使用さている。
【００１９】
そして、上記固定部材２０には、可撓性アーム部３１に上記係止突起部２１が係入する係入欠部３２を設けた係合片３０を、常時は、その可撓性アーム部３１の係入欠部３２内に係止突起部２１が係入するようになし、この係合片３０に所定以上の大きさの引く抜く力が加わると、該可撓性アーム３１が撓んで係止突起部２１との係合が脱着するようになして配設してある。この係合片３０は、適宜な可撓性を有する合成樹脂材で成形すればよく、この可撓性アーム３１が撓んで係止突起部２１と係合する構成は、図３例では、可撓性アーム３１，３１の間隔が縮むように撓むことで係合が外れるようになし、図６例では逆に、該可撓性アーム３１，３１の間隔が広がるようになして係合が外れるようになしてあるが、常態では係止突起部２１が可撓性アーム部３１の係入部に係入しており、外力が加わることでこの係合が外れるものであれば、該可撓性アーム３１が、図示例とは異なり、単一であったり、撓む方向が図３及び図６の左右方向ではなくて奥手前方向であってもよいものである。なお、可撓性アーム３１を単一にした場合は、この可撓性アーム３１の基部が所定の場所に保持されるための案内路等を設けることが要求されることがある。
【００２０】
そして、上記係合片３０に、吊下用環４０を連結してなる。この吊下用環４０としては従来、茄子環やＤ環が使用されており、図に示す茄子環は当てがねを有して、吊り下げ物品が容易には外れないようになしてある。なおＤ環は，Ｄの字状の輪郭形状を有した環で、この間に物品側に茄子環等のフック部を設けて吊り下げるようになすものである。なお、Ｄ環以外に丸環や三角環も使用できるものである。
【００２１】
次に、請求項２の発明は、カバン本体１０に固定する固定部材２０に、左右方向に間隔を有して一対の係止突起部２１，２１を突設してある。すなわち、本発明は、係止突起部２１，２１を一対並置することで、後記する係合片３０を常に所定位置に確実に係合可能となるようにしている。
【００２２】
そして、上記固定部材２０には、中央部に縦方向の切込部３５を有し、この切込部３５の両側を一対の略平行な、可撓性アーム部３１，３１となし、この両可撓性アーム部３１，３１の下部に基部３３を連設すると共に、両可撓性アーム部３１，３１の両外側辺部に、上記係止突起部２１，２１が係入する係入欠部３２，３２を設けてなる係合片３０を、前記係止突起部２１，２１の間に両可撓性アーム部３１，３１を係合し、該係合片３０の基部３３を該固定部材２０の下方に突出させて、この係合片３０に所定以上の大きさの引く抜く力が加わると、該可撓性アーム３１が撓んで係止突起部２１，２１との係合が脱着して係合片３０が固定部材２０より引く抜けるように装着してある。すなわち、図５に示す、係合片３０を、その係入欠部３２，３２内に係止突起部２１，２１が係入するようになして、固定部材２０の上に重ねて、図３に示す状態となす。この図３の状態で、固定部材２０は固定され、係合片３０は、図３手前側がカバン本体等１０等で塞がれて同図の手前方向には移動不能としておくと、通常は、図示の状態を保ち、後記吊下環４０に何か物品を吊り下げても、その状態を保持する。
【００２３】
しかし、吊下環４０に非常に大きな荷重を加えるか、大きな力で係合片３０を図３下方に向けて引くと、一定の外力が加わることで、可撓性アーム部３１，３１は撓んで、両可撓性アーム部３１，３１の上端側の間隔を狭め、係入欠部３２，３２と係止突起部２１，２１等の係合が外れ、該係合片は図３下方に引き抜くことができるようになしてある。
【００２４】
そして、上記係合片３０の基部３３に、吊下環４０を連結してなるのは請求項１と同じ構成である。
【００２５】
次に、請求項３の発明は、カバン本体１０に固定される固定部材２０を、カバン本体１０の外面側にあてがう固定本体部２０ａと、カバン本体１０の内側にあてがう裏座体２０ｂと、この固定本体部２０ａと裏座体２０ｂとを連結固定する固定具２２，２２とで構成してある。すなわち、固定部材２０を定本体部２０ａと、裏座体２０ｂと、固定具２２，２２とで構成することで、カバン本体１０の所望の場所に、確実に固定することができるようになしてあり、該固定具２２，２２は、前記もしたように、鋲、螺子、鳩目等の従来公知な固定具が使用できるものである。
【００２６】
そして、上記固定本体部２０ａは裏面側が開口した扁平箱状に構成して、その正面部２３の裏側には、左右方向に間隔を有して一対の係止突起部２１，２１を突設してある。この固定本体部２０ａは裏面側が開口した扁平箱状に構成することで、後記する可撓性アーム部３１，３１と係止突起部２１，２１とが収容できる間隙を確保してある。
【００２７】
そして、上記固定部材２０には、中央部に縦方向の切込部３５を有し、この切込部３５の両側を一対の略平行な、可撓性アーム部３１，３１となし、この両可撓性アーム部３１，３１の下部に基部３３を連設すると共に、両可撓性アーム部３１，３１の両外側辺部に、上記係止突起部２１，２１が係入する係入欠部３２，３２を設けてなる係合片３０を、前記係止突起部２１，２１の間に両可撓性アーム部３１，３１を係合して装着してなるのは、請求項２と同じ構成である。
【００２８】
さらに、本発明は、上記係合片３０の基部３３を、該固定部材２０の下辺部に設けた、その大きさが該係合片３０の最大断面形状部が通過可能な欠部２４を通して、該固定部材２０の下方に突出させ、上記係合片３０の基部３３下端部には水平方向の折返辺で折り返した折返部３４を延設し、この折返部３４の上端は固定部材２０内に臨入するようになし、該係合片３０には、吊下環４０を、その一辺部４１を上記係合片３０の基部３３と折返部３４とで巻き込むようになして連結してなる。この欠部２４は、係合片３０を引く抜くための空部を設けることを主たる木手的とするのは無論であるが、該係合片３０を差し込む際の、又は引き抜く際の案内路としても機能し、係合片３０が、所定の方向にのみ移動することで、係止と、所定の力での引き抜きが信頼性高く行えることをも保証するものである。
【００２９】
また、係合片３０の基部３３下端部には水平方向の折返辺で折り返した折返部３４を延設し、この折返部３４の上端は固定部材２０内に臨入するようになし、該係合片３０には、吊下環４０を、その一辺部４１を上記係合片３０の基部３３と折返部３４とで巻き込むようになして連結することで、該係合片３０と吊下環４０との連結機構を簡易化するためで、係合片３０の下端部を折り曲げるのみの構成で確実に吊下環４０を連結するようになしたものである。
【００３０】
次に、請求項４の発明は、カバン本体１０に固定される固定部材２０を、カバン本体１０の外面側にあてがう固定本体部２０ａと、カバン本体１０の内側にあてがう裏座体２０ｂと、この固定本体部２０ａと裏座体２０ｂとを連結固定する固定具２２，２２とで構成し、該固定本体部２０ａは裏面側が開口した扁平箱状に構成して、その正面部２３の裏側には、左右方向に間隔を有して一対の係止突起部２１，２１を突設し、上記固定部材２０には、中央部に縦方向の切込部３５を有し、この切込部３５の両側を一対の略平行な、可撓性アーム部３１，３１となし、この両可撓性アーム部３１，３１の下部に基部３３を連設すると共に、両可撓性アーム部３１，３１の両外側辺部に、上記係止突起部２１，２１が係入する係入欠部３２，３２を設けてなるのは、前記請求項３と同じ構成である。
【００３１】
そして、本発明は、上記両可撓性アーム部３１，３１の最大部の巾Ｌ２が前記両係止突起部２１，２１の距離Ｌ１より大きく設定し、該可撓性アーム部３１，３１の上端部の巾Ｌ３を前記係止突起部２１，２１の距離Ｌ１より小さく設定して、両可撓性アーム部３１，３１の先端外側辺側には基部３３方向に向かって順次幅を広げる斜面部３６，３６を設けてなる。このように、両可撓性アーム部３１，３１の寸法を設定することで、一度抜けた係合片３０を固定部材２０内に、再度、装着することが可能（実際には、相当に大きな力で圧入する必要性があるので、工具の力を借りる必要性がある。）となるもので、該係合片３０の可撓性アーム部３１，３１をを先端に向けて、後記する欠部２２内に差し込むと、やがて、係止突起部２１，２１が斜面部３６，３６に接触し、さらに係合片３０が差し込まれると、両可撓性アーム部３１，３１の間隔が狭まって、係入欠部３２，３２内に係止突起部２１，２１が係入するものである。
【００３２】
係合片３０を、前記係止突起部２１，２１の間に両可撓性アーム部３１，３１を係合して装着し、さらに、上記係合片３０の基部３３を、該固定部材２０の下辺部に設けた、その大きさが該係合片３０の最大断面形状部が通過可能な欠部２２を通して、該固定部材２０）の下方に突出させ、上記基部３３の下端部には水平方向の折返辺で折り返した折返部３４を延設し、この折返部３４の上端は固定部材２０内に臨入するようになし、この係合片３０には、吊下環４０を、その一辺部４１を上記係合片３０の基部３３と折返部３４とで巻き込むようになして連結してなるのは、前記請求項３と同じ構成である。
【００３３】
【発明の効果】
本発明によれば、通常は一般の鞄用係止具と同様に、適宜物品を吊り下げて使用することができ、万が一、この吊り下げた物品を大きな力で引くように事態が生ずると、係合部３０が引き抜かれて、外れて、吊り下げた物品や、本発明鞄用係止具乃至はカバン本体１０を損傷しない鞄用係止具を提供できるものである。
【００３４】
また、請求項２乃至請求項４の発明では、上記効果に加え、一対の係止突起部２１，２１を突設し、係合片３０を、該係止突起部２１，２１の間に係合させる構成となしたので、固定部材２０に対する係合片３０の係合位置が必ず適正位置となり、着脱が確実な信頼性の高い鞄用係止具を提供できるものである。
【００３５】
さらに、請求項３及び４の発明は、固定部材２０を、カバン本体１０の外面側にあてがう固定本体部２０ａと、カバン本体１０の内側にあてがう裏座体２０ｂと、この固定本体部２０ａと裏座体２０ｂとを連結固定する固定具２２，２２とで構成してなるので、カバン本体１０への固定が確実な鞄用係止具を提供でき、また、係合片３０の基部３３下端部には水平方向の折返辺で折り返した折返部３４を延設し、この折返部３４の上端は固定部材２０内に臨入するようになし、該係合片３０には、吊下環４０を、その一辺部４１を上記係合片３０の基部３３と折返部３４とで巻き込むようになして連結してなるので、吊下環４０の連結も簡易で確実な鞄用係止具を提供できるものである。
【００３６】
さらに、請求項４の発明は、係合片３０を、両可撓性アーム部３１，３１の最大部の巾Ｌ２が前記両係止突起部２１，２１の距離Ｌ１より大きく設定し、該可撓性アーム部３１，３１の上端部の巾Ｌ３を前記係止突起部２１，２１の距離Ｌ１より小さく設定して、両可撓性アーム部３１，３１の先端外側辺側には基部３３方向に向かって順次幅を広げる斜面部３６，３６を設けて形成したので、該係合片３０が一度引き抜かれた場合にも、再度、この係合片３０を差し込むことができる鞄用係止具を提供できるものである。
【図面の簡単な説明】
【図１】本発明のランドセルでの一実施例を示す斜視図である。
【図２】本発明鞄用係止具の要部状面図である。
【図３】要部背面図である。
【図４】要部縦断面図である。
【図５】分解状態での背面図である。
【図６】別の実施例での背面図である。
【符号の説明】
１０　　　カバン本体
２０　　　固定部材
２０ａ　　固定本体部
２０ｂ　　裏座体
２１　　　係止突起部
２２　　　固定具
２３　　　正面部
３０　　　係合片
３１　　　可撓性アーム部
３２　　　係入欠部
３３　　　基部
３４　　　折返部
３５　　　切込部
３６　　　斜面部
４０　　　吊下環
４１　　　一辺部
Ｌ１　　　距離
Ｌ２　　　巾
Ｌ３　　　巾
【図１】
2004113367.tif 000003
【図２】
2004113367.tif 000004
【図３】
2004113367.tif 000005
【図４】
2004113367.tif 000006
【図５】
2004113367.tif 000007
【図６】
2004113367.tif 000008